(57)【要約】【課題】小型で取り扱い易いサイクロン分離式の集塵部を備えた電気掃除機を実現する。【解決手段】塵埃を遠心分離して捕捉するサイクロン分離筒１０４と集塵ケース１０５を着脱可能に並べて掃除機本体１の下ケース１０１に装着し、サイクロン分離筒１０４の排気の一部を集塵ケース１０５にいれ、その排気側に第１の補助フィルター１０６を設けたフィルター枠１４０を持ち、さらに、サイクロン分離筒１０４の連絡通路１４５を通る排気と合せ、除塵付フィルター１６１を一体成形したフィルター枠１６３を通過させた。【選択図】  図１０
2005021469.tif 000002
【特許請求の範囲】
【請求項１】
電動送風機を内蔵する掃除機本体と、該掃除機本体に配設された集塵部と、前記掃除機本体にホースを介して接続された吸口とを有し、
前記集塵部は、
吸口から吸い込んだ含塵空気を遠心分離により除塵するサイクロン分離筒を備え、該サイクロン分離筒の下部より含塵空気を流し入れ、該サイクロン分離筒から除塵した空気を排気する排気口を前記サイクロン分離筒下部に設け、前記サイクロン分離筒の上部に、サイクロン分離筒の側面に置いた集塵ケースに至る連通口を設け、集塵ケースの排気側に該集塵ケースと気密状態に当接する第１のフィルター枠と該第１のフィルター枠に取付けた第１のフィルターとを設け、該第１のフィルターの下流側には第２のフィルター枠と該第１のフィルター枠に取付けた第２のフィルターとを設け、
前記第１のフィルターを通過した空気と前記排気口から流出した空気とは合流した後、前記第２フィルターを通過するようにしたことを特徴とする電気掃除機。
【請求項２】
電動送風機を内蔵する掃除機本体と、該掃除機本体に配設された集塵部と、前記掃除機本体にホースを介して接続された吸口とを有し、
前記集塵部は、
吸口から吸い込んだ含塵空気を遠心分離により除塵するサイクロン分離筒を備え、該サイクロン分離筒の下部より含塵空気を流し入れ、該サイクロン分離筒から除塵した空気を排気する排気口を前記サイクロン分離筒下部に設け、前記サイクロン分離筒の上部に、サイクロン分離筒の側面に置いた集塵ケースに至る連通口を設け、集塵ケースの排気側に該集塵ケースと気密状態に当接する第１のフィルター枠と該第１のフィルター枠に取付けた第１のフィルターとを設け、該第１のフィルターの下流側には第２のフィルター枠と該第１のフィルター枠に取付けた第２のフィルターとを設け、
前記第１のフィルターを通過した空気と前記排気口から流出した空気とは合流した後、前記第２フィルターを通過するようにし、
前記第１のフィルター枠と前記第２のフィルター枠とは同軸で回動可能にしたことを特徴とする電気掃除機。
【請求項３】
請求項１または２において、
前記第１のフィルタ−枠と前記第２のフィルター枠を開閉する手段を設けたことにより、前記集塵ケースに溜まった塵埃を廃棄することができることを特徴とした電気掃除機。
【請求項４】
請求項１ないし３のいずれかにおいて、
前記第１のフィルタ−枠と第２のフィルター枠の間に前記第１のフィルターを挟み込んだことを特徴とした電気掃除機。
【請求項５】
請求項１ないし４のいずれかにおいて、
前記第２のフィルター枠のフィルターをひだおり状に形成し、これの下流側にフィルターに溜まった塵埃を除塵する除塵手段を設け、前記集塵ケースと前記排気口の下部に塵埃を収納するポケットを設けたことを特徴とした電気掃除機。
【請求項６】
請求項４において、
前記第２のフィルター枠のフィルターに除塵手段と接触する補強部材を一体に設けたことを特徴とする電気掃除機。
【請求項７】
請求項４において、
前記第２のフィルター枠のフィルターを横方向に山谷が並ぶひだおりとし、第２のフィルターの下流に縦方向に山谷が並ぶ第２のフィルターを設けたことを特徴とする電気掃除機。
【発明の詳細な説明】
【０００１】
【発明の属する技術分野】
本発明は、電気掃除機に関する。
【０００２】
【従来の技術】
一般的な電気掃除機は、吸口から吸い込んだ含塵空気を掃除機本体に導き、この掃除機本体内の集塵部を通して除塵し、除塵によって清浄になった空気を掃除機本体外に排気する構成である。集塵部は、紙フィルタによる濾過によって塵埃を捕捉して除塵し、または、サイクロン分離筒による遠心分離によって塵埃を捕捉して除塵する構成である。
【０００３】
サイクロン分離式の集塵部を備えた電気掃除機は、特開２００３−７９５４６号公報に記載されている。この電気掃除機における集塵部は、ホースからの塵埃を含んだ空気流を電動送風機側に誘導し、サイクロン分離筒による遠心分離によって塵埃を分離して、その下方にある集塵室に捕捉して除塵する構成である。そして、集じん室とサイクロン分離筒の蓋体を共用として、これを開放することにより、塵埃を捨てる。また、蓋体の内部には不織布から成るフィルターが内蔵され、フィルターはサイクロン分離筒、集じん室に独立に連通させ、これを切り替えることにより、空気の流れ方をあるときはサイクロン分離筒から、あるときは集塵室から電動送風機に流すことにより、集じん室内での塵埃を圧縮している。
【０００４】
また、電気掃除機におけるサイクロン分離式の集塵部として、特開２００３−７９５４５号公報に記載された塵埃分離装置は、サイクロン分離筒内に塵埃をそのまま蓄積するようにしたもので、上部に発泡プラスチックからなるフィルターを配置し、このフィルターで細かい塵埃を除去する構成であり、サイクロン分離筒の下部を蓋体で覆い、これを開放することで塵埃を捨てる。
【０００５】
【特許文献１】
特開２００３−７９５４６号公報
【特許文献２】
特開２００３−７９５４５号公報
【０００６】
【発明が解決しようとする課題】
一般家庭で使用する電気掃除機は、ゴミが良く吸えて、小型で取り扱い易いことが重要であり、集塵部の小型化と捕捉した塵埃廃棄操作の簡易化が必要である。  １つのサイクロン分離筒によって塵埃を捕捉する集塵部は、粗大塵と微細塵を一緒に捕捉しているので、捕捉塵埃を廃棄するときに微細塵が飛散し易く、塵埃廃棄操作が面倒である。また、塵埃捕捉（集塵＝除塵）性能を高めようとすると、サイクロン分離筒が長くなって大型化してしまう。
【０００７】
水平にした分離筒構造のサイクロン分離式の塵埃分離装置（集塵部）は、サイクロン分離室入口に旋回流を与えるのに、特別な流路がいるので、小型で取り扱い易い形態に構成することが困難である。また、サイクロン分離部側と集塵部側のフィルターを分けて使用しているので、目詰まりが速いとか、フィルター面積を大きく取れないなどゴミの吸い取り能力を表す指標の一つである吸込仕事率を大きくすることが困難である。
【０００８】
また、サイクロン分離筒内に塵埃を収納するものでは、微細な塵埃はフィルターで取り除かなければならず、フィルターの目詰まりを遅くすることは困難である。また、下部を開放してゴミ捨てできるので、サイクロン分離筒内に溜まった塵埃の除去は容易であるが、上部のフィルター部に溜まった塵埃の除去は困難である。
【０００９】
本発明の１つの目的は、小型で取り扱い易いサイクロン分離式の集塵部を備えた電気掃除機を提案することにある。
【００１０】
本発明の他の目的は、抵抗が少なくて、塵埃捕捉（集塵）性能が高いサイクロン分離式の集塵部を備えた電気掃除機を提案することにある。
【００１１】
本発明の更に他の目的は、捕捉した微細塵を飛散しないように確実に保持しておくことができるサイクロン分離式の集塵部を備えた電気掃除機を提案することにある。
【００１２】
【課題を解決するための手段】
上記目的を達成するために本発明の特徴とするところは、電動送風機を内蔵する掃除機本体と、該掃除機本体に配設された集塵部と、前記掃除機本体にホースを介して接続された吸口とを有し、前記集塵部は、吸口から吸い込んだ含塵空気を遠心分離により除塵するサイクロン分離筒を備え、該サイクロン分離筒の下部より含塵空気を流し入れ、該サイクロン分離筒から除塵した空気を排気する排気口を前記サイクロン分離筒下部に設け、前記サイクロン分離筒の上部に、サイクロン分離筒の側面に置いた集塵ケースに至る連通口を設け、集塵ケースの排気側に該集塵ケースと気密状態に当接する第１のフィルター枠と該第１のフィルター枠に取付けた第１のフィルターとを設け、該第１のフィルターの下流側には第２のフィルター枠と該第１のフィルター枠に取付けた第２のフィルターとを設け、
前記第１のフィルターを通過した空気と前記排気口から流出した空気とは合流した後、前記第２フィルターを通過するようにしたことにある。
【００１３】
また、本発明の特徴とするところは、電動送風機を内蔵する掃除機本体と、該掃除機本体に配設された集塵部と、前記掃除機本体にホースを介して接続された吸口とを有し、前記集塵部は、吸口から吸い込んだ含塵空気を遠心分離により除塵するサイクロン分離筒を備え、該サイクロン分離筒の下部より含塵空気を流し入れ、該サイクロン分離筒から除塵した空気を排気する排気口を前記サイクロン分離筒下部に設け、前記サイクロン分離筒の上部に、サイクロン分離筒の側面に置いた集塵ケースに至る連通口を設け、集塵ケースの排気側に該集塵ケースと気密状態に当接する第１のフィルター枠と該第１のフィルター枠に取付けた第１のフィルターとを設け、該第１のフィルターの下流側には第２のフィルター枠と該第１のフィルター枠に取付けた第２のフィルターとを設け、前記第１のフィルターを通過した空気と前記排気口から流出した空気とは合流した後、前記第２フィルターを通過するようにし、前記第１のフィルター枠と前記第２のフィルター枠とは同軸で回動可能にしたことにある。
【００１４】
また、第１のフィルタ−枠と第２のフィルター枠を開閉する手段を設けたことにより、前記集塵ケースに溜まった塵埃を廃棄することができることを特徴とする。
【００１５】
また、第１のフィルタ−枠と第２のフィルター枠の間に第１のフィルターを挟み込んだことを特徴とする。
【００１６】
また、第２のフィルター枠のフィルターをひだおり状に形成し、これの下流側にフィルターに溜まった塵埃を除塵する除塵手段を設け、集塵ケースと排気口の下部に塵埃を収納するポケットを設けたことを特徴とする。
【００１７】
さらに、第２のフィルター枠のフィルターに除塵手段と接触する補強部材を一体に設けたことを特徴とする。
【００１８】
また、第２のフィルター枠のフィルターを横方向に山谷が並ぶひだおりとし、第２のフィルターの下流に縦方向に山谷が並ぶ第２のフィルターを設けたことを特徴とする電気掃除機。
【００１９】
【発明の実施の形態】
本発明の実施の形態を図面を参照して説明する。図１は、本発明の一実施の形態を示す電気掃除機の外観斜視図である。図２は、その掃除機本体の斜視図である。図３は、その掃除機本体の上蓋を開いた状態を示す斜視図である。図４は、その掃除機本体の集塵ケースとサイクロン分離筒とを取り除いた状態を示す斜視図である。図５は、上蓋と上ケースを取り除いた横平面図である。図６は、その掃除機本体内の空気の流れを示す模式図である。
【００２０】
この実施の形態における電気掃除機は、図１に示すように、掃除機本体１とホース２と手元操作部３と伸縮延長管４と吸口５を備え、掃除機本体１と手元操作部３をホース２で接続し、この手元操作部３に伸縮延長管４を介して吸口５を接続して使用する。
【００２１】
掃除機本体１は、電動送風機（後述する）を内蔵し、この電動送風機の吸気力によって吸口５から吸気することによって該吸気流に乗せて塵埃を吸い込み、吸い込んだ含塵空気を伸縮延長管４と手元操作部３とホース２を介して掃除機本体１に吸い込ませ、サイクロン分離式の集塵部（後述する）で除塵（集塵）した後に機外に排気する。
【００２２】
掃除機本体１は、図２〜図５に示すように、下ケース１０１と上蓋１０２の間にサイクロン分離筒１０４と、サイクロン分離筒１０４と一体となった集塵ケース１０５を着脱可能に装着し、下ケース１０１と上ケース１５０の間に第２の補助フィルター１１２と電動送風機１０７とコードリール１１０とを内蔵する。
【００２３】
この掃除機本体１は、図６に示すように、ホース２を介して含塵空気を入口管１１５より、サイクロン分離筒１０４に流し入れて、下側から上側に旋回させることにより遠心分離作用で塵埃を分離して、上部の連通口１１７を通して集塵ケース１０５に塵埃を搬送し、サイクロン分離筒１０４からの排気は内筒１３１を通って、サイクロン分離筒１０４の下部に設けた排気口１２０に排気される。また、一部の空気は集塵ケース１０５に流れ込み、第１の補助フィルター１０６によって塵埃を捕捉する。集塵ケース１０５の排気は第１の補助フィルター１０６の後方にある集塵ケース排気口１４４から、第２の補助フィルター１１２を通して電動送風機１０７に吸込ませる。この時サイクロン分離筒１０４からの排気は連絡通路１４５からサイクロン部流出口１４６を介して、集塵ケース１０５の排気と合せて第２の補助フィルター１１２を通して電動送風機１０７に吸込ませる。この電動送風機１０７からの排気はフィルター１０８を介して、一部は排気流路（図示せず）を介し、一部はコードリール１１０に流してこれらを冷却し、その後に機外に放出される。
【００２４】
下ケース１０１は、この掃除機本体１を床面に走行させるための走行車輪２０８と案内車輪（図示せず）を備え、サイクロン分離筒１０４と集塵ケース１０５を着脱可能に縦置きに装着し、更に、第２の補助フィルター１１２を並べて設置する。
【００２５】
上蓋１０２は、上ケース１５０の上側後部に転回可能に取り付け、閉じた状態でサイクロン分離筒１０４の入口管１１５とホース接続口部１１６とが気密状態に当接し、集塵ケース１０５と第１のフィルター枠１４０とが気密状態に当接し、第１のフィルター枠１４０と第２のフィルター枠１６３とが気密状態に当接し、第２のフィルター枠１６３と第２の補助フィルターが収納されるフィルターケース１１３との間を気密状態に当接するように付勢する。サイクロン分離筒１０４の軸方向は鉛直方向を向いているが、鉛直方向でなく斜め方向に傾いていてもかまわない。
【００２６】
上蓋１０２を上に開けると、下ケース１０１からサイクロン分離筒１０４と集塵ケース１０５とが少し浮きあがる。この状態で集塵ケース１０５の上部の取っ手１２３を持って、サイクロン分離筒１０４と集塵ケース１０５を分離して取り出すことができ、集塵ケース１０５から第１のフィルター枠１４０と第２のフィルター枠１６３とを同時に開けることによって、集塵ケース１０５内の塵埃を廃棄する。
【００２７】
さらに、サイクロン分離筒１０４の内部が汚れた場合には、上部の取っ手１２３を持って、下ケース１０１から持ち上げ、サイクロン分離筒１０４を分解して清掃することができる。
【００２８】
ここで、サイクロン分離筒１０４の内表面や、集塵ケース１０５の内表面に、クリヤー系ＵＶ硬化型コーティング処理をしている。このため、前記サイクロン分離筒１０４内に塵埃が流入し、塵埃が遠心分離され、前記集塵ケース１０５に流入する際に、このサイクロン分離筒１０４内の表面や、集塵ケース１０５の内面に塵埃が衝突し、こすれた場合でも、表面に傷が入りにくく、汚れを付着しにくくするととともに耐擦性，耐汚染性を向上させることができる。このため、サイクロン分離筒１０４の外筒１３５や、集塵ケース１０５を透明のプラスチック材で製作した場合でも、塵埃のたまり具合を目視で確認することができる。
【００２９】
さらに、上蓋１０２を透明のプラスチック素材で製作しておけば、図２に示すように上蓋１０２がサイクロン分離筒１０４の外筒１３５や、集塵ケース１０５を完全に覆う場合でも、塵埃のたまり具合を目視で確認することができる。
【００３０】
また、サイクロン分離筒１０４や、集塵ケース１０５を帯電防止樹脂剤を用いて成型したり、表面に帯電防止剤を塗布することにより、前記サイクロン分離筒１０４や、集塵ケース１０５に塵埃が付着しにくくなり、清掃回数を減らすことができる。
【００３１】
次に、図５を参照して、電気掃除機本体１内部の配置について説明する。図５は上ケース１５０と上蓋１０２を取り外した状態の平面図である。ホース接続口部１１６は上方から見て本体１の幅方向の中央にあり、サイクロン分離筒１０４の中心軸は幅方向の中央からずらして位置し、サイクロン分離筒１０４の略接線方向に空気を流入させる入口管１１５とホース接続口部１１６が直線状になるように配置されている。また、集塵ケース１０５はサイクロン分離筒１０４の中心軸とは幅方向の反対側に設置される。同様に、電動送風機１０７はサイクロン分離筒１０４の中心軸とは幅方向の反対側に設置され、その前面には第２の補助フィルター１１２が設けられている。コードリール１１０は電動送風機１０７の横に設置され、幅方向でサイクロン分離筒１０４の中心軸を同じ方向に設置されている。
【００３２】
このように配置したことで、本体の長さを短くでき、小型軽量を達成できる。また、サイクロン分離筒１０４の入口部分に曲りなどを設ける必要が無いため、損失を小さくできる効果が得られる。
【００３３】
ここで、前記サイクロン分離筒１０４で遠心分離された塵埃が連通口１１７を通じてサイクロン分離筒１０４から流出する方向は、サイクロン分離筒１０４内での旋回方向で、かつ、サイクロン分離筒１０４の接線方向である。このため、本実施の形態では、サイクロン分離筒１０４の連通口１１７と、この連通口１１７と連通する集塵ケース１０５の上部開口１１８の両者を、前記集塵ケース１０５内の開閉する第１の補助フィルター１０６から最も離れた電気掃除機本体１の前面側（ホース接続口部１１６側）に配置することができる。ここで、サイクロン分離筒１０４で遠心分離された塵埃は、開閉する第１の補助フィルター１０６付近から堆積し、サイクロン分離筒１０４の連通口１１７と、この連通口１１７と連通する集塵ケース１０５の上部開口１１８側へと、順に堆積していくので、前記集塵ケース１０５に塵埃が充填されるまで、塵埃が前記連通口１１７と前記上部開口１１８を塞ぎにくい。つまり、前記集塵ケース１０５の容積を有効利用することができる。
【００３４】
ここで、サイクロン分離筒１０４と集塵ケース１０５の詳細について図７から図１４を参照して説明する。図７はサイクロン分離筒１０４と集塵ケース１０５の外観斜視図、図８はサイクロン分離筒１０４と集塵ケース１０５の図５に示すＡ−Ａ断面図、図９は図５のＣ−Ｃ断面図、図１０は図５のＢ−Ｂ断面図、図１１は図９のＤ−Ｄ断面図、図１２は図９のＥ−Ｅ断面図、図１３は集塵ケース１０５を排気側からみた側面図、図１４は集塵ケース１０５とサイクロン分離筒１０５を下から見たときの平面図である。
【００３５】
サイクロン分離筒１０４の外筒１３５にはその空気取り入れ口である入口管１１５が、このサイクロン分離筒１０４の中心軸方向長さの中央より下部に設けられ、略円筒形をなすサイクロン分離筒１０４の略接線方向に空気が入るように設置されている。サイクロン分離筒１０４の中央より上部に連通口１１７が設けられ、集塵ケース１０５に塵埃とともに空気を流入させる。サイクロン分離筒１０４の下部には内筒１３１が設けられ、下部の排気口１２０につながっている。ここで、内筒１３１にネジなどで内筒キャップ１５２を取り付け、排気口１２０と連絡通路１４５間は弾性シール部材１５３を介し、外筒１３５と内筒１３１は弾性シール部材１５１を介して取り付ければ気密を取り易い。内筒１３１は筒部１３４と、この筒部１３４に螺旋状に巻き付いた隔壁１３２と、入口管１１５と前記筒部１３４を結ぶ案内壁１３７と、前記隔壁１３２の外周側に配置した外壁１３９で構成され、筒部１３４には網フィルター１３３として樹脂繊維性の網を筒部１３４と一体にインサート成形により構成している。
【００３６】
網フィルター１３３は図１１に示すように、側面の円筒部分に構成してもよく、また、筒部の上平面と側面の円筒部分を合せて構成してもかまわない。ここでは、前記網フィルター１３３による内筒１３１の開口部は、前記内筒１３１の側面の円筒部分全周に設けるのではなく、前記入口管１１５付近のおよそ９０度程度は、前記開口部を設けていない。このため、前記入口管１１５から髪の毛などの細い塵埃が流入しても、前記網フィルター１３３に直接当たることを防げ、刺さったりして絡み付くことを防ぐことができる。さらに、前記入口管１１５から針などの尖った塵埃が流入した場合にも、前記網フィルター１３３に直接当たることが無いので、前記網フィルター１３３が破れ、塵埃が流出することを防げる。
【００３７】
また、網フィルター１３３にはゴミの色とは違った色、例えば、黄色を付けておくことにより、  網フィルター１３３に繊維塵とか粉塵などが付いて目詰まりしたときに、網フィルター１３３の色が変化したことを目で確認できるので、早く見つけることができ、清掃を早めに行うことができる。
【００３８】
また、網フィルター１３３は前記内筒１３１の内向きに力を受けるので、前記網フィルターの内径側に内筒のリブ１３６を設ければ良い。ここで、網フィルター１３３に帯電防止処理を施すと、前記網フィルター１３３に付着した塵埃が離れやすく、清掃が容易にできる。また、前記網フィルター１３３に撥水処理を行えば、前記内筒１３１を水洗いした場合の清掃性が向上する。
【００３９】
ここで、内筒１３１の筒部１３４が、この筒部１３４に螺旋状に巻き付いた隔壁１３２よりも下側まで延びている。このため、網フィルター１３３を前記筒部１３４と一体にインサート成形により構成する場合、前記網フィルター１３３の部材の形状は略長方形とすればよい。このようにすることで、前記筒部１３４の周方向に一様に前記網フィルター１３３を構成する部材があるため、成形時に前記筒部１３４が変形しにくい。また、前記網フィルター１３３の部材の形状を略長方形にできるので、この部材の材料取りがよくなる。
【００４０】
さらに、内筒１３１の筒部１３４が、この筒部１３４に螺旋状に巻き付いた隔壁１３２よりも下側まで延びているため、網フィルター１３３を通過して、前記筒部１３４から排気口１２０へと流れる空気流の全てが、前記網フィルター１３３を通過するまで、流路に急拡大分が無いので、空気流は急激な減速を起こさないため、空気流の流れ方向に逆らった逆圧力勾配を生じにくい。つまり、空気流の下流側である前記筒部１３１内側から、この空気流の上流側である前記内筒１３１の外側へと該空気流は逆流しにくいので、空気流の剥離を抑制でき、前記筒部１３４から前記排気口１２０へと流れる空気流の損失が増加するのを防げる。
【００４１】
なお、内筒１３１の筒部１３４が、この筒部１３４に螺旋状に巻き付いた隔壁１３２より外筒１３５と反対側に延長され、この筒部１３４の円筒部分に網フィルター１３３を設けた構成とすれば、含塵空気をサイクロン分離筒１０４の上から下に流し入れたり、サイクロン分離筒１０４を横置きにし、旋回流の中心軸が略水平方向に配置した場合でも同様の効果が選られる。
【００４２】
また、サイクロン分離筒１０４の外筒１３５にはその空気取り入れ口である入口管１１５が、このサイクロン分離筒１０４の中心軸方向長さの中央より下部に設けられているので、前記入口管１１５に連通するホース接続口部１１６も、サイクロン分離筒１０４の中心軸方向長さの中央より下部に配置することができる。このため、前記ホース接続口部１１６は、掃除機本体１の下部に配置することができるので、前記掃除機本体１を、前記ホース２を介して手元操作部３で引き回した場合、前記掃除機本体１が転倒しにくく、安定して引き回す事ができる。
【００４３】
さらに、前記ホース接続口部１１６を前記掃除機本体１の下側に配置できるので、上蓋１０２に前記ホース接続口部１１６を配置する必要が無く、集塵ケース１０５や、サイクロン分離筒１０４を前記掃除機本体１から取出す時に、前記ホース２を取り付けたままでも容易に、前記上蓋１０２を開閉することができる。
【００４４】
ここで、前記内筒１３１の隔壁１３２は、サイクロン分離筒１０４内の空気の流れを上方に持上げるように、巻き開始位置１３８から螺旋状に上方に持ち上がっている。このため、入口管１１５からサイクロン分離筒１０４に流入した塵埃は、この螺旋状の隔壁１３２に沿って上昇するとともに、前記サイクロン分離筒１０４内を旋回し、遠心分離され、連通口１１７、上部開口１１８通じ、集塵ケース１０５へと搬送される。このように、前記隔壁１３２を螺旋状に上方に持上げているので、塵埃は前記サイクロン分離筒１０４内を上昇する強い作用を与えられ、ＤＣコードレス掃除機などの毎分１立方メートル以下の低風量で動作する掃除機でも、塵埃を集塵ケース１０５へ搬送することが可能である。ここでは、サイクロン分離筒１０４の軸方向は水平方向ではないので、上述の低風量時に、前記サイクロン分離筒１０４内に流入した比重の大きい塵埃が旋回の途中で、旋回できずに落下し、サイクロン分離筒１０４に何度も衝突することを防げ、サイクロン分離筒１０４の傷つきや、破損を防ぐことができる。なお、巻き開始位置１３８は、案内壁１３７付近から設けてもかまわない。
【００４５】
ここで、サイクロン分離筒１０４の内部に設けた内筒１３１の筒部１３４に、該内筒１３１の根元側から先端側へ螺旋状の隔壁１３２を設け、前記内筒１３１の外壁１３９と前記サイクロン分離筒１３１の外筒１３５の間に、前記隔壁１３２が螺旋状に変化している部分に隙間１４７を設けている。この隙間１４７は前記外筒１３５の半径方向に５ｍｍ程度の間隔を有している。このため、掃除機運転中は前記サイクロン分離筒１０４内に旋回流があり、前記隙間１４７内にも旋回流が生じており、前記外壁１３９と前記外筒１３５の間の前記隙間１４７にゴミが侵入したとしても、この隙間１４７にゴミはたまりにくく、集塵ケース１０５へと搬送される。
【００４６】
集塵ケース１０５には、サイクロン分離筒１０４の連通口１１７に対向する位置に上部開口１１８が設けられている。集塵ケース１０５の排気側には、フィルター枠１４０に取り付けられた第１の補助フィルター１０６が設けられている。第１の補助フィルター１０６は耐水性のある発泡性のプラスチックであり、また、フィルター枠１４０には網フィルター１０６ａが一体に成形されている。フィルター枠１４０はその両面が開口となっていて、下部に設けた開閉軸１４３を中心として回動するように設けられ、フィルター枠１４０が閉まったときには、集塵ケース１０５とフィルター枠１４０は気密状態を保って当接している。
【００４７】
第１の補助フィルター１０６の下流側には、フィルター枠１６３が設けられ、フィルター枠１４０とフィルター枠１６３が閉まったときには、気密状態を保って当接している。フィルター枠１６３はその両面が開口となっていて、フィルター枠１４０の下部に設けた開閉軸１４３を中心として回動するように設けられている。フィルター枠１６３の上部にはレバー１４２が設けられ、フィルター枠１４０とフィルター枠１６３を集塵ケース１０５側に気密状態を保つように係止している。ゴミ捨て時には、サイクロン分離筒１０４と集塵ケース１０５を上部の取っ手１２３を持って、掃除機本体１より取り出し、レバー１４２を押して、フィルター枠１４０とフィルター枠１６３をいっしょに開いて、集塵ケース１０５内の塵埃を捨てることができる。このとき、ポケット１６２内に入っている塵埃も一緒に捨てることができる。なお、本実施の形態例では、開閉軸が下にあり、フィルター枠１４０とフィルター枠１６３が図中上部から、開くことになるので、集塵ケース１０５を横に向けて捨てるのが良い。詳細な構造は省くが、開閉軸を上部に設け、下部にレバーを設ける構造にすれば、集塵ケース１０５内とポケット１６２内の塵埃が捨てるときに、フィルター枠側にかかりにくくなるので、なお良い。
【００４８】
フィルター枠１６３には除塵付フィルター１６１が一体に成形されている。除塵付フィルター１６１は床面とほぼ平行な方向に山谷を繰り返し、垂直方向にほぼ同じ高さに形成された山があるようなひだ折り状に形成され、除塵付フィルター１６１にはその下流側の山の頂部にプラスチック製の補強部１６６が除塵付フィルター１６１と一体に形成されている。なお、補強部１６６は山部全てに渡って設けているのではなく、除塵装置１６４の除塵ばね１７０が当たる部分の近くのみに設けている。これにより、除塵ばね１７０が与えた除塵付フィルター１６１への振動が除塵付フィルター１６１全体に伝わり易くなるので、除塵性能を高くできる。また、補強部１６６を山部の一つの端まで、例えば、本実施の形態例では、下側の端まで伸ばしても多少除塵性能が落ちるがかまわない。また、除塵付フィルター１６１下流側の山の頂部にプラスチック製の補強部１６６を設けているので、フィルターの有効面積の低下を抑えることができ、流れ抵抗の増大を防止できる。さらに、除塵付フィルタ１６１を清掃するときにブラシ１６８を用いて、除塵付フィルタ１６１をこすったときにフィルター側が逃げないので、清掃性を高めることができる。
【００４９】
フィルター枠１４０と除塵付フィルター１６１とで、第１の補助フィルター１０６は挟み込まれ、なおかつ、フィルター枠１４０の連絡通路１４５との境のシール部に設けられたリブの上に載せられるように設置されている。第１の補助フィルター１０６に塵埃が溜まってくると抵抗が増加するが、このとき、除塵用フィルター１６１の山部で押さえられているので、変形による目のつぶれを防止でき、流れ抵抗の増加を抑制できる。
【００５０】
また、フィルター枠１６３には円弧状のガイド１６５をその両端部にあるネジ２個所で設置され、また、フィルター枠１６３の上部ある支点１６７に除塵装置１６４が回動可能にネジ止めされ、その下端部がガイド１６５に挟み込まれている。除塵装置１６４のほぼ中央部にある手持ち部を持って、図１３の左右方向に除塵装置を動かすことによって除塵する。
【００５１】
この除塵装置１６４には、除塵ばね１７０が取り付けられ、除塵装置１６４を左右に動かすことによって、除塵ばね１７０の図中の下方部分が除塵付フィルター１６１の補強部１６６と順次衝突し、除塵ばね１７０の軸を中心とする回転方向に変形して、除塵フィルター１６１の補強部１６６を乗り上げ、補強部１６６を乗り越して次の山に衝突することによって、除塵付フィルター１６１に振動を与えて、この振動により除塵付フィルター１６１に付着している塵埃を剥離し、除塵付フィルター１６１の山の間を通って、塵埃は下方に落ち、集塵ケース１０５の下方で、連絡通路１４５の下部にあるポケット１６２に落ち込み、ここに塵埃が蓄積される。なお、除塵付フィルター１６１の下部は気密枠１７２より下流側はフィルター枠１６３で上流、下流側が隔絶され、枠体で区切られ、また、気密枠１７２より上流側では枠体から山状に前に突き出しを設けて、これと除塵付フィルター１６１の下端部とが一体に成形されている。従って、除塵付フィルター１６１の下端は、下側に向かって開いた状態になっているので、フィルター面から剥離した塵埃はこの隙間を通って、さらに下部に達する。
【００５２】
なお、除塵付フィルター１６１の下端部はフィルタ枠１４０の下端部より、上側になるように設置され、ポケット１６２側にゴミが移行し易くなっている。
【００５３】
ゴミ捨て時には、集塵ケース１０５上部の取っ手１２３を持って、集塵ケース１０５を持ち上げ、レバー１４２を下側に押して、フィルター枠１４０とフィルター枠１６３を開いて、集塵ケース１０５内の塵埃とポケット１６２内の塵埃を捨てることができる。この時、ゴミ捨て前に、除塵装置１６４を動かして、除塵付フィルター１６１から塵埃を剥離し、下部のポケット１６２に入れてから行うようになっている。なお、ゴミ捨て後に除塵動作をしても良く、この場合は、ポケットの入口側に落ちた塵埃は、サイクロン流出口１４６を流れる気流によって、ポケット１６２入口に形成される２次流れの渦により、ポケット１６２の奥に搬送されるとともに、塵埃の舞い上がりを防止できる。塵埃には質量があるので、慣性によって塵埃は渦から外れて奥に飛ばされ、塵埃は奥から溜まるようになる。
【００５４】
また、実際の掃除時にも、掃除の前後に、掃除機を移動させるときに掃除機本体１に衝撃が加わったりして、除塵付フィルター１６１から塵埃が剥離するが、これが下側に落ちてきたときにも、上記で説明したように、次の掃除時などにポケット１６２に搬送されていく。従って、除塵装置１６４が取り付いていなくても、ポケット１６２を設けることにより、フィルター面から剥離した塵埃の再飛散を抑えることができるので、ポケット１６２を設ける効果は得られる。なお、このポケット１６２は連絡通路１４５の下側にあるが、除塵付フィルター１６１側から遠ざかるような方向に奥行きを持たせることにより、高さ方向の寸法を大きくしなくても、塵埃の収容量を大きくできる。
【００５５】
第１の補助フィルター１０６の清掃は、フィルター枠１４０とフィルター枠１６３を開けて、フィルター枠１４０から第１の補助フィルター１０６を取り出して洗うなどして行うことができる。また、網フィルター１０６ａに付着したゴミは、集塵ケース１０５の下面に固定用リブで止められているブラシ１６８を取り出して、網フィルター１０６ａの表面を擦ったり、水洗いすることにより清掃できる。除塵付フィルター１６１の清掃は、フィルター枠１４０とフィルター枠１６３を開けた状態にして、集塵ケース１０５を含めて、水洗いしながら、ブラシ１６８を使って除塵付フィルター１６１の表面をこすることによって行うことができる。集塵ケース１０５の下面にブラシ１６８を取り付けているので、水洗い時などにブラシ１６８を集塵ケース１０５の下面から取り出して簡単に使える効果が得られる。なお、ブラシ１６８の刷毛部分の高さは、除塵フィルター１６１のひだおりの山の高さより高くしておくと、刷毛部分が除塵フィルター１６１のひだおりの谷の部分にまで届くので、奥の塵埃を掻き出し易い。
【００５６】
なお、フィルター枠１４０とフィルター枠１６３とが同じ開閉軸１４３を中心として回動でき、かつ、それぞれを個別に外すことができなくなっているので、フィルター枠１４０とフィルター枠１６３とを紛失することが無い。
【００５７】
補助フィルター１０６は発泡性の洗える素材のプラスチックでできたスポンジ、あるいは、水洗いできる不織布、あるいは、水洗できる濾紙材などを用いるのが望ましい。
【００５８】
また、網フィルター１０６ａや、除塵付フィルター１６１や第２の補助フィルター１１２に帯電防止処理を施すと、第１の補助フィルター１０６や、前記第２の補助フィルター１１２に付着した塵埃が離れやすく、清掃が容易にできる。さらに、撥水処理などを施すと、水洗いしたときに乾きが速くなる。
【００５９】
集塵ケース１０５の下部には連絡通路１４５とポケット１６２とが一体に設けられている。従って、この集塵ケース１０５は、塵埃を収納する部分と連絡通路１４５とポケット１６２に分けられ、フィルター枠１４０は、網フィルター１０６ａとサイクロン流出口１４６とに分けられるが、連絡通路１４５の上部の隔壁と網フィルター１０６ａの接合する部分は気密を保って当接するようになっている。また、サイクロン分離筒１０４の連絡通路１２０と連絡通路１４５も気密を保って当接している。
【００６０】
一方、連絡通路１４５とポケット１６２との間の隔壁はフィルター枠１４０とは気密状態になっていない。これは、除塵付フィルター１６１から除塵時に剥離した塵埃がポケットに収納され易くするためである。
【００６１】
フィルター枠１６３はその外周側に一体となった気密枠１７２を持ち、電動送風機１０７の前に設けられた第２の補助フィルター１１２を収納するフィルターケース１１３とも気密を保って当接している。なお、この気密枠１７２は集塵ケース１０５を掃除機本体１に収納したときに垂直方向ではなく、上側が電動送風機１０１０７側に倒れこんだ形で斜めになるように設けられており、集塵ケース１０５を掃除機本体に押し込んだときにより、気密が取れ易くなっている。さらに、フィルター枠１６３の気密枠１７２の前後に弾性体からなるシール材が取り付けられていて、フィルター１４０との気密も取れるようにしているので、シール部材の数を減らすことができるという効果も得られる。
【００６２】
第２の補助フィルター１１２は図には示していないが、床面とほぼ垂直な方向に山谷を繰り返し、水平方向にほぼ同じ高さに形成された山があるようなひだ折り状に形成されている。このように第２の補助フィルターを形成しているので、第２の補助フィルター１１２で捕捉された塵埃が、下方に移行しにくいので、第２の補助フィルター１１２の下部に塵埃が落ちることが少なくなるので、掃除機本体１に塵埃が落ちることが少ないという効果も得られる。
【００６３】
以上説明してきた、気密状態の当接を実現するために、当接部間には弾性シール部材を介在させると良い。
【００６４】
このように構成した掃除機本体１は、電動送風機１０７を運転すると、その吸気力によって、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。除塵された空気は、サイクロン分離筒１０４の内筒１３１から網フィルター１３３を通って連絡通路１２０に流れ出る。この網フィルター１３３は、繊維塵や、紙などの塵埃が吹き抜けるのを防止するように機能する。
【００６５】
連絡通路１２０からの空気は連絡通路１４５、サイクロン流出口１４６を介して、除塵付フィルター１６１を通って、第２の補助フィルター１１２へと流れる。
【００６６】
サイクロン分離筒１０４の連通口１１７からの塵埃を含んだ空気は集塵ケース１０５の上部に設けられた上部開口１１８より集塵ケース１０５に流入し、網フィルター１０６ａで空気中の比較的大きな塵埃がせき止められ、網フィルター１０６ａの手前で堆積していく。細かい塵埃は、第１の補助フィルター１０６で捕捉され、さらに細かい塵埃は除塵付フィルター１６１で除塵され、除塵付フィルター１６１を通過した空気は第２の補助フィルター側に流れていく。
【００６７】
網フィルター１０６ａの除塵性能は、網の目の細かさで決定されるが、除塵性能を高くしすぎると目詰まりも早くなり易いので、全体の除塵能力との兼ね合いで決定するのが望ましい。なお、網フィルター１０６ａは繊維塵の剥離性が良いが、帯電防止処理などを持たせるとなお良い。
【００６８】
第１の補助フィルター１０６の除塵性能はそのフィルター材の能力で決定されるが、μｍオーダーの塵埃までを分離できる能力を持たせると良い。また、発泡性のプラスチック材を用いているので、塵埃中に含まれる細かい繊維塵などの通過を防止できるので、除塵付フィルター１６１側に、除塵付フィルター１６１で取り除きにくい繊維塵がいかないようにできる。また、除塵付フィルター１６１で保持されているので、第１の補助フィルターが変形して、周辺に隙間ができるようにして、捕塵性能が低下することもなく、流れ方向に局部的に圧縮されることもなく、流れ抵抗の増大を防ぐことができるので、吸込み力の維持がし易い。
【００６９】
除塵付フィルター１６１は前述したようにひだおり状に形成されているが、これには洗える不織布、洗える濾紙材などを用いる。さらに、撥法水処理を施すと水洗い時の乾燥時間を短くできるので、なお良い。
【００７０】
第２の補助フィルター１１２は集塵部に設けられる最後段のフィルターとなるので、サブμｍまでの塵埃を高い確率をもって捕塵できることが望ましい。これを実現する方法として、フィルター材として帯電処理を施したものを用いる方法がある。また、フィルター材として、サブμｍの線径をもつ細い繊維で形成された目の細かい不織布を用いることによって、同様の捕塵性能を実現できる。この場合、目の細かい不織布の前後に、目が粗く、線径が大きく、剛性の高い不織布を溶着することによって、剛性が高く、サブμｍまでの塵埃を捕塵できるフィルター材とすることができる。更にこれらを全て洗える材料で作れば、水洗いも可能になる。たとえば、ポリエステル系の材料とかＰＴＦＥ（ポリテトラフルオロエチレン）などの材料を使っている。
【００７１】
なお、補強材を厚くすると、着色もし易くなるので、補強材は前側を厚くしている。なおかつ、前側を厚くするとこの部分に貯えられる塵埃量を多くできるので、目詰まりを遅くできるという効果も得られる。なお、色はゴミと違った色の方が良く、本実施の形態例の場合青色を用いて、第２のフィルター１１２が汚れてくると、色が変わってくるので、使用者が目視で汚れを確認でき、水洗いをするなどして、フィルターを再生することにより、吸込み力を回復できる。
【００７２】
また、図１５に第２の補助フィルター１１２を上流側から見たときの側面図を示す。第２の補助フィルター１１２は枠体１８１に、山谷が上下方向に並ぶひだおり形状をしたフィルター材料が一体に成形されていて、さらに、２本の補強リブ１８２で枠体１８１側に補強されてい、その補強リブ１８２には、手持ち用突起１８３が第２の補助フィルター１１２の上部で、かつ、図中手前側に突き出している。補強リブ１８２と手持ち用突起１８３は、前述の除塵用フィルター１６１の山と山との間の距離より薄く作ってあり、除塵装置１６４が動く範囲の外側に来るように、２つの補強リブ１８２が設置され、手持ち用突起１８３が、集塵ケース１０５とサイクロン分離筒１０４が掃除機本体１に取り付けられているときに、除塵用フィルター１６１の凹部に入るようになっている。
【００７３】
このように構成しているので、第２の補助フィルター１１２を清掃するときは、手持ち用突起１８３を手でつかみ、手前に引き出して取り出すことができるようになっている。また、手持ち用突起１８３が除塵装置１６４が動く範囲の外側にあるので、除塵装置１６４が動いて適当な位置にあっても、手持ち用突起１８３が除塵装置１６４と当たって損傷することが無い。また、手持ち用突起１８３が除塵用フィルター１６１の山と山との間に入って収まるので、掃除機全体の長さを長くしなくても良い。
【００７４】
以上述べてきた、フィルター材の塵埃の捕塵性能であるが、より細かい塵埃を捕塵できる能力は、高い準に、第２の補助フィルター１１２、除塵付フィルター１６１、第１の補助フィルター１０６、網フィルター１０６ａであり、これらは流れの下流側から順に並んでいる。このように構成することにより、それぞれのフィルターに到達する塵埃の総量（容積）が上流側から徐々に減少していくので、目詰まりし易いフィルターになればなるほど、受け持つ塵埃の量が少なくなるので、全体としての目詰まりを遅くできるという効果も得られる。
【００７５】
掃除機本体１内に入ってきた塵埃は、そのほとんどが集塵ケース１０５内に溜められるので、ごみ捨ては集塵ケース１０５を掃除機本体１からとり取り出して除塵すれば良い。ごみ捨ては集塵ケース１０５より塵埃があふれないうちに行うのが望ましい。このため、集塵ケース１０５には、図７に示すように上部開口１１８に対抗する位置にごみ捨てライン１５５を設けておき、使用者がこれを参考にごみ捨てを行えるようにしている。ごみ捨てラインは、水平あるいは鉛直を向いているのではなく、集塵ケース１０５内にごみが溜まっていく時には、上部開口１１８に近接した部分が最後にごみで埋まるので、ごみのたまり具合から斜めに設定している。
【００７６】
なお、本実施の形態では、掃除機本体１内の空気の流れを図６に示すように２つの経路に分けているので、集塵ケース１０５内の塵埃には空気の流れ方向に圧力差を生じ、この圧力差によって塵埃が常時圧縮される。この圧力差は、溜められた塵埃が多くなるほど大きくなるので、塵埃が多くなればなるほど圧縮量が多くなるという特徴を併せ持っている。従って、集塵ケース１０５内により多くの塵埃を溜めることができるので、ごみ捨ての周期を長くすることができる。
【００７７】
集塵ケース１０５内の塵埃は、第１の補助フィルター１０６の手前で層状に堆積していき、かつ微細な粉塵も一緒に堆積していく。このため、繊維塵の間に粉塵がまぎれ込んでいくので、ごみ捨て時に粉塵が舞い上がりにくくなるという効果も得られる。
【００７８】
さらに、サイクロン分離器１０４の排気側の流量が、集塵ケース１０５を空気が通過しないときに比べて、少なくなるので、サイクロン分離器１０４の抵抗を小さくできる。従って、掃除機の吸込仕事率をより大きくすることができるという特徴を持っている。
【００７９】
また、サイクロン分離筒１０４内で、サイクロン分離筒１０４の入口管１１５から該サイクロン分離筒１０４内に含塵空気が流入して該サイクロン分離筒１０４内で旋回することにより塵埃を遠心分離して該サイクロン分離筒１０４内の上の方に持ち上げ、集塵ケース１０５側に搬送する。この際、前記サイクロン分離筒１０４から、前記集塵ケース１０５を通じて第１の補助フィルター１０６から排気される空気の流れが有るため、前記サイクロン分離筒１０４で遠心分離された塵埃は、前記集塵ケース１０５側へ流入しやすくなり、塵埃は前記集塵ケース１０５側へ瞬間分離されるので、捕塵効率を高くできる。
【００８０】
さらに、前記サイクロン分離筒１０４で遠心分離され、前記集塵ケース１０５側へ搬送された塵埃は、前記サイクロン分離筒１０４へ逆流しにくいので、前記集塵ケース１０５側へ搬送された塵埃が再飛散すること無く、捕塵効率を高くすることができる。
【００８１】
さらに、内筒１３１の網フィルター１３３に塵埃が付着した場合には、サイクロン分離筒１０４から除塵した空気を排気するサイクロン流出口１４６から排気される空気風量が減少するため、第１の補助フィルター１０６を通過した前記集塵ケース１０５からの排気口である集塵ケース排気口１４４の空気風量が増加する。このため、前記内筒１３１の前記網フィルター１３３に付着した塵埃は、集塵ケース１０５に搬送されるという特徴をもつ。
【００８２】
また、前記集塵ケース１０５から、第１の補助フィルター１０６を通過した前記集塵ケース１０５からの排気口である集塵ケース排気口１４４の断面積を、サイクロン分離筒１０４から除塵した空気を排気するサイクロン排出口１４６の断面積より大きくしている。このため、第１の補助フィルター１０６の断面積を大きくすることができ、前記第１の補助フィルター１０６を通過する空気の流速を小さくすることができる。このため、前記第１の補助フィルター１０６からの塵埃の吹き抜けを低減できる。さらに、前記第１の補助フィルター１０６を空気が通過する際の圧力損失を低減できるので、掃除機の吸込仕事率をより大きくすることができるという特徴を持っている。
【００８３】
また、集塵ケース１０５内に溜まる塵埃の量が増えると、集塵ケース１０５を通過するときの抵抗が増えるので、集塵ケース内を流れる流量が低下する。従って、臭いを発生させ易い塵埃が多いときにはその部分を通過する空気の量が減り、臭いを掃除機外に出しにくくなるという効果もある。
【００８４】
また、連絡通路１４５とポケット１６２が汚れたときも、集塵ケース１０５を取り出した状態で簡単に清掃することができる。
【００８５】
また、サイクロン分離器１０４の入口管１１５と内筒１３１を下に設けたので、上部にサイクロン分離筒１０４の連通口１１７と集塵ケース１０５の上部開口１１８を設けることができ、集塵ケース１０５に入った塵埃は、重力で下に落ちるので、サイクロン分離筒１０４へのこぼれを防止できる。
【００８６】
また、集塵ケース１０５の上部開口１１８は、前記集塵ケース１０５の前方に配置しているので、掃除機本体１を立てて収納する時には、前記集塵ケース１０５の上部開口１１８は、前記集塵ケース１０５の上方に配置していることとなるので、前記集塵ケース１０５に入った塵埃が、前記サイクロン分離筒１０４へこぼれるのを防止できる。
【００８７】
また、集塵ケース１０５をサイクロン分離筒１０４の側面に配置しているので、掃除機本体１の高さを高くすることなく、サイクロン分離筒１０４の長さ方向を長くできるので、旋回流によるごみの分離能力を高くできるという特徴を持っている。
【００８８】
さらに、指輪など流体力を受けにくく、重い塵埃はサイクロン分離筒１０４内に留まり易いので、サイクロン分離筒１０４を取っ手１２５手に持って取り出して、傾けることにより、入口管１１５より簡単に取り出すことができるという特徴も持っている。
【００８９】
また、流体力を受けにくく重い塵埃はサイクロン分離筒１０４から、集塵ケース１０５に入らないので、前記集塵ケース１０５の第１の補助フィルター１０６を破ることが無く、前記集塵ケース１０５から塵埃が抜けるのを防ぐことができる。
【００９０】
第２の実施の形態例を図１５を用いて説明する。本実施の形態例では、集塵ケース１０５の形態とそれに付随するフィルター形状が違うのみなので、集塵ケース１０５を下流側からみた側面図を示す。
【００９１】
サイクロン分離筒１０４の側方に集塵ケース１０５が設けられ、一部の塵埃を含んだ空気は集塵ケース１０５に流れ、集塵ケース排気口１４４から、図示していないがフィルター枠１４０の網フィルター１０６ａと第１の補助フィルター１０６ａを介して、下流側に行く。このとき、多くの塵埃は網フィルター１０６ａと第１の補助フィルター１０６ａによってせき止められ、集塵ケース１０５内に捕塵される。一方、サイクロン分離筒１０４からの排気は、排気口１２０から、集塵ケース排気口１４４の側方に設けられた連絡通路１４５を通過して、下流側に行く。集塵ケース排気口１４４と連絡通路１４５との下部にはポケット１６２が設けられている。なお、フィルター枠１４０の網メッシュ１０６ａの形状と第１の補助フィルター１０６はほぼ集塵ケース排気口１４４の形になっている。
【００９２】
このように構成したので、集塵ケースを大きくしなくても、連絡通路１４５の面積を大きく取れるので、除塵付フィルター１６１の直前でのサイクロン分離筒からの排気の速度を小さくできるので、除塵付フィルター１６１の流れ抵抗を小さくでき、なおかつ、速度が低い分だけ、捕塵性能を高くでき、フィルターの目への塵埃の詰まりを抑制することができる。また、連絡通路１４５の出口断面積を広く取っても、集塵ケース１０５の容積に締める割合を小さくできるので、集塵ケース１０５を大きくしなくても、集塵容積を大きく取れるなどの特徴が得られる。
【００９３】
【発明の効果】
本発明は、上向きに旋回流を発生させるサイクロン分離筒と、この側面に集塵ケースを配置して、掃除機本体に装着したことにより、小型で取り扱い易いサイクロン分離式の集塵部を実現することができる。
【００９４】
下側から空気を吸い込み、下側に排気するサイクロン分離筒と、排気の一部を集塵ケースの下流に設けたフィルターに流すことにより、小型で塵埃捕捉（集塵）性能が高く、集塵容量の大きいサイクロン分離式の集塵部を実現することができる。
【００９５】
集塵ケースの下流側に２つのフィルター枠を設け、第１のフィルター枠は集塵ケースの排気用のフィルターを取り付け、第２のフィルター枠にはサイクロン分離筒と集塵ケースの排気を受け持つフィルターと取り付け、この２つのフィルターを同軸で回動させるようにしたので、ゴミ捨てが容易であり、高い捕塵性能を実現できる。
【００９６】
さらに、第２のフィルター枠のフィルターに除塵装置を取り付け、除塵させるとともに、集塵ケースの下部で、なおかつ、サイクロン排気流路より下流に塵埃を収納するポケットを設けたので、フィルターが目詰まりし難く、吸込み力を維持し易く、小型なサイクロン式集塵部を実現できる。
【図面の簡単な説明】
【図１】本発明の一実施の形態を示す電気掃除機の外観斜視図である。
【図２】図１に示した電気掃除機における掃除機本体の斜視図である。
【図３】図１に示した電気掃除機における掃除機本体の上蓋を開いた状態を示す斜視図である。
【図４】図１に示した電気掃除機における掃除機本体内の上蓋を開いて、集塵ケースとサイクロン分離筒とを取り外した状態を示す斜視図である。
【図５】掃除機本体における上ケースと上蓋を取り外した状態を示す平面図である。
【図６】空気の流れを示す模式図である。
【図７】サイクロン分離筒１０４と集塵ケース１０５の外観斜視図である。
【図８】図５に示すＡ−Ａ断面図である。
【図９】図５のＣ−Ｃ断面図である。
【図１０】図５のＢ−Ｂ断面図である。
【図１１】図９のＤ−Ｄ断面図である。
【図１２】図９のＥ−Ｅ断面図である。
【図１３】集塵ケース１０５を排気側から見たときの側面図である。
【図１４】集塵ケース１０５とサイクロン分離筒１０５を下から見たときの平面図である。
【図１５】第２の補助フィルター１１２を上流側から見たときの側面図である。
【図１６】本発明の第２の実施の形態例を示す、集塵ケース１０５とサイクロン分離筒１０５を排気側から見たときの側面図である。
【符号の説明】
１…掃除機本体、１０１…下ケース、１０２…上蓋、１０４…サイクロン分離筒、１０５…集塵ケース、１０６…第１の補助フィルター、１０７…電動送風機、１１２…第２の補助フィルター、１１５…入口管、１１７…連通口、１２０…連絡通路、１３１…内筒、１４０…フィルター枠、１５０…上ケース、１６１…除塵付フィルター、１６２…ポケット、１６３…フィルター枠、１６４…除塵装置、１６６…補強部。
【図１】
2005021469.tif 000003
【図２】
2005021469.tif 000004
【図３】
2005021469.tif 000005
【図４】
2005021469.tif 000006
【図５】
2005021469.tif 000007
【図６】
2005021469.tif 000008
【図７】
2005021469.tif 000009
【図８】
2005021469.tif 000010
【図９】
2005021469.tif 000011
【図１０】
2005021469.tif 000012
【図１１】
2005021469.tif 000013
【図１２】
2005021469.tif 000014
【図１３】
2005021469.tif 000015
【図１４】
2005021469.tif 000016
【図１５】
2005021469.tif 000017
【図１６】
2005021469.tif 000018